(57)【要約】【課題】遊技球検出用センサを組み込んだ入賞装置などの遊技機部品の上下寸法を短くして、この種遊技機部品のコンパクト化を可能とした遊技球検出用センサの取付構造を提供する。【解決手段】遊技球検出用センサ２５は上下方向に所定の厚みを有すると共に上面に通過する遊技球を検出するための通過孔２７が貫設され、前記遊技球検出用センサ２５の周側面２５ｂと該遊技球検出用センサ２５が取着される取付部位２６であって前記周側面２５ｂと対向する面に互いに係合する係合部３１と被係合部２８をそれぞれ設け、これら係合部３１と被係合部２８とを係合させることにより前記取付部位２６に遊技球検出用センサ２５を取着するようにした。【選択図】図５
2006304879.tif 000002
【特許請求の範囲】
【請求項１】
パチンコ遊技機の各所に装着する遊技機部品に組み付けられ通過する遊技球を検出する遊技球検出用センサの取付構造であって、
前記遊技球検出用センサは上下方向に所定の厚みを有すると共に上面に通過する遊技球を検出するための通過孔が貫設され、前記遊技球検出用センサの周側面と該遊技球検出用センサが取着される取付部位であって前記周側面と対向する面に互いに係合する係合部と被係合部をそれぞれ設け、これら係合部と被係合部とを係合させることにより前記取付部位に遊技球検出用センサを取着するようにしたことを特徴とする遊技球検出用センサの取付構造。
【発明の詳細な説明】
【技術分野】
【０００１】
この発明は、パチンコ遊技機の各所に装着する遊技機部品に組み付けられ通過する遊技球を検出する遊技球検出用センサの取付構造に関するものである。
【背景技術】
【０００２】
従来、パチンコ遊技機は、例えば遊技盤面に遊技球が入賞する入賞装置といった多くの遊技機部品が装着されている。該入賞装置には、入賞した遊技球を通過させ何個入賞したか検出するための遊技球検出センサが組み付けられている（例えば、特許文献１参照。）。
【０００３】
前記遊技球検出用センサは、上下方向に所定の厚みを有する直方体形状に成形されると共にその上面に通過する遊技球を検出するための通過孔が貫設され、該通過孔を遊技球が通過するときの磁気の変化を検出してその遊技球を検出するようにしている。更に詳しく説明すると、図８に示すように遊技球検出用センサ１００の取付部位１０１は、球通路１０２の内壁面１０３であって両側に断面コ字状の切欠部１０４，１０４が向き合うようにして凹設される。そして、その間に遊技球検出用センサ１００が嵌入してほぼ水平に配置固定して取り付けられる。この際、遊技球検出用センサ１００は、両側上下面１０５，１０５が各切欠部１０４，１０４の上下部１０６，１０６に挟着されることになる。
【特許文献１】特開平８−８４８１３号公報（第３頁段落００１３、図６）
【発明の開示】
【発明が解決しようとする課題】
【０００４】
ところで、近時、遊技盤面の中央に表示部を備えた表示装置を装着し、また、その下方に遊技球が入賞することにより前記表示部に表示される情報を変動表示させる始動入賞口を装着し、更に、その下方に前記変動した情報が一定の時間経過後に停止し特定の表示（例えば、「７７７」）を示し、遊技者にとって有利な大当り状態になったとき、一定の条件の下で開閉扉を所定回数開成させて一度に多くの入賞球が得られるようにした入賞装置を装着してなるパチンコ遊技機が人気を博している。特に、前記表示装置は年々大型化しつつあり、このためその周囲の遊技盤面のスペースが狭くなり、例えば入賞装置など遊技機部品を設置するに非常に苦慮する。よって、各パチンコ遊技機メーカーなどでは、入賞装置等の遊技機部品をコンパクト化したいという要請が強い。
【０００５】
このような状況下では、前記遊技機部品、例えば前記入賞装置も上下寸法が短ければ短いほど前記要請に応えられる訳である。しかしながら、前記特許文献１のパチンコ遊技機のように遊技球検出用センサ１００の上下幅ａは決まっており、しかも取付部位１０１の切欠部１０４にあっては、両側上下部１０６，１０６が設けられるので、その上下寸法ｃ，ｃが必要となる。因みに、切欠部１０４の上下寸法ｂも遊技球検出用センサ１００を嵌合させる関係から、その上下幅ａよりも僅かではあるが大きい寸法に設定する必要がある。そこで、できれば前記切欠部１０４の両下部１０６を無くせられれば、入賞装置の上下寸法がその分短くなり、コンパクト化の実現が可能になる。
【０００６】
そこで、本発明は上記課題に鑑みてなされたもので、遊技球検出用センサを組み込んだ入賞装置などの遊技機部品の上下寸法を短くして、この種遊技機部品のコンパクト化を可能とした遊技球検出用センサの取付構造を提供することを目的とするものである。
【課題を解決するための手段】
【０００７】
かかる目的を達成するため本発明の遊技球検出用センサの取付構造は、パチンコ遊技機の各所に装着する遊技機部品に組み付けられ通過する遊技球を検出する遊技球検出用センサの取付構造であって、前記遊技球検出用センサは上下方向に所定の厚みを有すると共に上面に通過する遊技球を検出するための通過孔が貫設され、前記遊技球検出用センサの周側面と該遊技球検出用センサが取着される取付部位であって前記周側面と対向する面に互いに係合する係合部と被係合部をそれぞれ設け、これら係合部と被係合部とを係合させることにより前記取付部位に遊技球検出用センサを取着するようにした構成からなる。
【発明の効果】
【０００８】
本発明に係る遊技球検出用センサの取付構造は、パチンコ遊技機の各所に装着する遊技機部品に組み付けられ通過する遊技球を検出する遊技球検出用センサの取付構造であって、前記遊技球検出用センサの周側面と該遊技球検出用センサが取着される取付部位であって前記周側面と対向する面に互いに係合する係合部と被係合部をそれぞれ設け、これら係合部と被係合部とを係合させることにより前記取付部位に遊技球検出用センサを取着するようにしたので、結果的に遊技球検出用センサがその周側面で支持されて取付部位に取り付けられる。これにより、取付部位の両側下部が不要になり、その分上下寸法が短くでき遊技機部品のコンパクト化が可能になって狭い設置スペースにも対応できるという有益な効果が有る。
【発明を実施するための最良の形態】
【０００９】
以下、本発明に係る遊技球検出用センサ（以下、単に「センサ」という。）の取付構造の実施の形態を図面に基づき説明する。なお、遊技機部品とは、パチンコ遊技機の遊技盤面またはパチンコ遊技機の裏面に装着され通過する遊技球を検出するセンサが組み付けられる入賞装置、球払出装置等の遊技機部品をいう。
【００１０】
図１は本発明が適用されるパチンコ遊技機の正面図である。パチンコ遊技機Ｐは、外側に木製の外枠１を有し、その前面に合成樹脂製の前面枠２が一側を軸着して開閉自在に装着される。前記前面枠２には遊技盤３が設置される。該遊技盤３の前面には、渦巻状に敷設された内側・外側ガイドレール４ａ，４ｂに囲われて遊技部３ａが成形される。該遊技部３ａに、例えばその中央に位置して数字、図柄等の情報を変動表示する大型の表示装置５、遊技球の入賞によって前記情報を変動させる始動入賞口６が装着される。また、その下方に、前記表示装置５の情報が特定の表示（例えば、「７７７」）に揃ったとき、一定の条件で一度に多くの入賞球が得られる入賞装置７が装着されている。
【００１１】
前記前面枠２の前面には、その上部に前記遊技盤３の前面を覆う透明板保持枠８が自在に開閉するように配置される。該透明板保持枠８は合成樹脂材により成形され、中央に窓開口９が開設される。該窓開口９に該窓開口９を塞ぐようにして透明板であるガラス板１０が取着される。そして、この窓開口９を介して前記遊技盤３前面の遊技部３ａが視認できるようになっている。
【００１２】
また、前記前面枠２の前面であって透明板保持枠８の下方に、前板１１が自在に回動するように配置される。この前板１１の前面には、打球発射位置（図示せず。）へ供給される遊技球を貯留する打球供給皿１２が装着される。前面枠２の下部前面に前記打球供給皿１２から溢れたパチンコ球を貯留する余剰球受皿１３が装着される。また、その一側に、自在に回動して打球の打撃力を調節することができる操作ハンドル１４が設けられている。
【００１３】
次に、前記入賞装置７について説明する。図２は入賞装置の要部の分解斜視図、図３はセンサの下から見た斜視図、図４は遊技盤に装着された入賞装置の側面断面図を示す。この入賞装置７は、前側に遊技盤３面に取付けられる取付板１５を備え、該取付板１５に横長の球入口１６が開設される。この取付板１５の上下寸法は、狭い設置スペースに対応できるように、極力短く設定される。取付板１５の後側に球入口１６を囲うようにして箱枠体１７が設けられ、該箱枠体１７内が前記球入口１６と連通している。また、箱枠体１７は、上下に二分割され、下側の箱枠体１７ａが取付板１５と一体に成形され、上側の箱枠体１７ｂが分離できるようになっている。
【００１４】
前記下側の箱枠体１７ａの両側に水平な支持板１８が張設され、該支持板１８に一対の螺子孔１９，１９が設けられる。一方、上側の箱枠体１７ｂの両側にも支持板２０が張設され、該支持板２０に前記両螺子孔１９，１９に対応位置して一対の螺子挿通孔２１，２１が設けられる。そして、下側の箱枠体１７ａの上面に上側の箱枠体１７ｂを被せ、各螺子挿通孔２１を介して各螺子孔１９に螺子２２を螺締めすることにより箱枠体１７が成形されことになる。
【００１５】
前記球入口１６には、その下縁に前側へ自在に回動し得る開閉扉２３が軸着される。該開閉扉２３は図示しないソレノイドに連係され該ソレノイドの動作により前後に回動し、球入口１６を閉めて遊技球を箱枠体１７内に受け入れない起立状態と、球入口１６を開けて遊技球を箱枠体１７内に受け入れる傾動状態とに変換できるようになっている。
【００１６】
前記箱枠体１７内には、球入口１６の下縁に沿って一側へやや下傾する球遊動板２４が設けられ、その流下端部にセンサ２５を組み付ける取付部位２６が成形される。この取付部位２６は球通路２６ａになる。
【００１７】
センサ２５は、上下方向に所定の厚みａを有する平坦な直方体形状に成形され、上面２５ａに通過する遊技球を検出するための通過孔２７が貫設される。図示は省略するが、センサ２５内に前記通過孔２７を囲む環状の検出コイルと磁気検出回路を設けたプリント基板とが配置され、前記通過孔２７を遊技球が通過するときに生じる磁気の変化を検出することで遊技球の通過検出を行なうようにしている。そして、周側面である両側面２５ｂ，２５ｂの前後位置に、その下縁に掛かるようにして被係合部としての一組の凹窪部２８，２８が設けられる。
【００１８】
一方、箱枠体１７内の取付部位２６は、その底壁２９にセンサ２５が嵌入する程度の大きさの縦長孔３０が開設され、その内周縁面に前記センサ２５の両側面２５ｂ，２５ｂに設けられた各凹窪部２８と対向するようにして係合部としての一組の突起部３１，３１が設けられている。
【００１９】
そして、縦長孔３０に通過孔２７が球誘導板２４側に位置するようにしてセンサ２５を合致させ、各凹窪部２８に各突起部３１を係合させる。更に、下側の箱枠体１７ａの上面に上側の箱枠体１７ｂを被せて各螺子孔１９に各螺子挿通孔２１を介して螺子２２を螺締することによりセンサ２５が取付けられる。この状態では、センサ２５の下側は各突起部３１により支持され、上側は上側の箱枠体１７ｂの後壁３２により支持される。
【００２０】
また、図５に示すようにセンサ２５の上面２５ａが球誘導板２４の下端縁と一致し、センサ２５の下面２５ｃは下側の箱枠体１７ａの下面１７ｃと一致する。このようにセンサ２５をその両側面２５ｂ，２５ｂで支持して取付部位２６に取り付けるようにしたので、取付部位２６の両側下部、すなわちセンサ２５の下面よりも下側が不要になり、その分入賞装置７の上下寸法が短くでき入賞装置７のコンパクト化が可能になる。本実施の形態にあっては、センサ２５側に被係合部を設け取付部位２６側に係合部を設けるようにしたが、これら係合部と被係合部は逆に設けるようにしても良い。
【００２１】
前記始動入賞口６に遊技球が入賞することによって表示装置５の表示部５ａの情報が変動し、停止したときの情報が例えば「７７７」に揃うと大当り状態となる。この状態になると、入賞装置７の開閉扉２３が前側へ回動して球入口１６を開き、多くの遊技球を球入口１６を介して箱枠体１７内に導く。導かれた遊技球は球誘導板２４上面を下流へ転動して球通路２６ａに導かれ、センサ２５の通過孔２７に流入し下方へ流出する。この際、遊技球が検出される。
【００２２】
図６は他の実施の形態に係るセンサの取付構造を示すものである。この取付構造は、図６（イ）に示すように、センサ３３の両側面３３ｂ，３３ｂ中央にその長手方向に沿って係合部としての突条３４が突設されている。一方、取付部位３５には、後端が開放される縦長溝３６の両側部であってセンサ３３の両側面３３ｂ，３３ｂと対向する面に、前記各突条３４に対応する被係合部としての凹条３７，３７が設けられている。
【００２３】
そして、図６（ロ）に示すように取付部位３５の後側から両突条３４，３４を両凹条３７，３７に嵌入させるようにしてセンサ３３を差し込んで取付ける。この場合、図６（ハ）に示すようにセンサ３３の下面３３ｃと底壁３８とが一致し、センサ３３の下面３３ｃよりも下側が不要になり、その分入賞装置７の上下寸法が短くでき入賞装置７のコンパクト化が可能になる。
【００２４】
図７も他の実施の形態に係るセンサの取付構造を示すものである。この取付構造は、図７（イ）に示すように、センサ３９の両側面３９ｂ，３９ｂ中央にその長手方向に沿って被係合部としての凹条４０が設けられている。一方、取付部位４１には、後端が開放される縦長溝４２の両側部であってセンサ３９の両側面３９ｂ，３９ｂと対向する面に、前記各凹条４０に対応する係合部としての突条４３，４３が設けられている。
【００２５】
そして、図７（ロ）に示すように取付部位４１の後側から両凹条４０，４０を両突条４３，４３に嵌合させるようにしてセンサ３９を差し込んで取付ける。この場合も、図７（ハ）に示すようにセンサ３９の下面３９ｃと底壁４４とが一致し、センサ３９の下面３９ｃよりも下側が不要になり、その分入賞装置７の上下寸法が短くでき入賞装置７のコンパクト化が可能になる。
【図面の簡単な説明】
【００２６】
【図１】本発明が適用されるパチンコ遊技機の正面図。
【図２】入賞装置の要部の分解斜視図。
【図３】センサの下から見た斜視図。
【図４】遊技盤に装着された入賞装置の側面断面図。
【図５】入賞装置の要部の正面断面図。
【図６】（イ）は他の実施の形態に係るセンサの取付構造の分解斜視図、（ロ）は同組付斜視図、（ハ）は同正面断面図。
【図７】（イ）は他の実施の形態に係るセンサの取付構造の分解斜視図、（ロ）は同組付斜視図、（ハ）は同正面断面図。
【図８】従来のセンサの取付構造を示す正面断面図。
【符号の説明】
【００２７】
７                      遊技機部品（入賞装置）
２５                    センサ
２５ｂ                  周側面（側面）
２６                    取付部位
２７                    通過孔
２８                    被係合部（凹窪部）
３１                    係合部（突起部）
Ｐ                      弾球遊技機（パチンコ遊技機）
【図１】
2006304879.tif 000003
【図２】
2006304879.tif 000004
【図３】
2006304879.tif 000005
【図４】
2006304879.tif 000006
【図５】
2006304879.tif 000007
【図６】
2006304879.tif 000008
【図７】
2006304879.tif 000009
【図８】
2006304879.tif 000010